(57)【特許請求の範囲】
【請求項１】
１つの取水口（８）を共用する少なくとも２つの排水ポンプを含み、２つの排水ポンプが補強接続部品により一体に接続され、補強接続部品が洗濯機取付板（１２）に取り付けられる洗濯機のダブルヘッド排水ポンプの取付減衰装置であって、前記補強接続部品と洗濯機取付板（１２）との間に、ダブルヘッド排水ポンプの振動を緩和する取付減衰装置が設けられ、
前記取付減衰装置が、弾性の軟質材料で製造された本体を含み、本体に洗濯機取付板（１２）と組み立てる第１減衰空洞（１４０４）と、補強接続部品と組み立てる第２減衰空洞とが設けられ、
前記第１減衰空洞（１４０４）が、本体を、相互に接続する第１減衰部（１４０１）および第２減衰部（１４０２）に分け、前記第２減衰空洞が、第１減衰部（１４０１）および／または第２減衰部（１４０２）に設けられることを特徴とする取付減衰装置。
【請求項２】
前記本体が溝形構造であり、溝形構造の中部に溝を有し、溝は洗濯機取付板（１２）に挟装され、前記第１減衰空洞（１４０４）が、溝形構造の溝であることを特徴とする、請求項１に記載の洗濯機のダブルヘッド排水ポンプの取付減衰装置。
【請求項３】
溝の部分に斜角が設けられ、溝の上壁および下壁に複数の突起リブ（１４０７）がそれぞれ対応して設けられることを特徴とする、請求項２に記載の洗濯機のダブルヘッド排水ポンプの取付減衰装置。
【請求項４】
前記第２減衰空洞が、第１減衰部（１４０１）および／または第２減衰部（１４０２）の内部に設けられる空洞であり、該空洞に、第１減衰部（１４０１）および／または第２減衰部（１４０２）の一側に向かって開口が設けられ、該開口は第１減衰空洞（１４０４）の開口の方向と反対であることを特徴とする、請求項１に記載の洗濯機のダブルヘッド排水ポンプの取付減衰装置。
【請求項５】
前記本体に、補強接続部品の位置を制限し、固定する留め具（１４０３）が設けられ、留め具（１４０３）が第２減衰空洞の両側に対称に設けられることを特徴とする、請求項１に記載の洗濯機のダブルヘッド排水ポンプの取付減衰装置。
【請求項６】
前記補強接続部品の下部が、洗濯機取付板（１２）に取り付ける支持取付部であり、支持取付部に洗濯機取付板（１２）において定位し、支持する支持取付脚が設けられ；支持取付脚に取付減衰装置が設けられることを特徴とする、請求項１〜５のいずれか１項に記載の洗濯機のダブルヘッド排水ポンプの取付減衰装置。
【請求項７】
前記補強接続部品は、２つの排水ポンプをそれぞれ取り付ける２つの取付部を含み、２つの取付部の下部部分がそれぞれ下に延伸して、第１支持取付部（１１１０）および第２支持取付部（１１０８）を形成し、前記取付減衰装置が、それぞれ第１支持取付部（１１１０）および第２支持取付部（１１０８）に取り付けられることを特徴とする、請求項６に記載の洗濯機のダブルヘッド排水ポンプの取付減衰装置。
【請求項８】
前記第１支持取付部（１１１０）および第２支持取付部（１１０８）に、その垂直方向に沿って、少なくとも２つの支持取付脚（１１０９）が設けられ、前記支持取付脚（１１０９）がそれぞれ２つの第２減衰空洞中に取り付けられ、前記第１支持取付部（１１１０）および第２支持取付部（１１０８）は、２つの留め具（１４０３）の間に位置を制限して取り付けられることを特徴とする、請求項７に記載の洗濯機のダブルヘッド排水ポンプの取付減衰装置。
【発明の詳細な説明】
【技術分野】
【０００１】
本発明は洗濯機の技術分野に関し、具体的に、洗濯機のダブルヘッド排水ポンプの取付減衰装置に関する。
【背景技術】
【０００２】
より複雑な使用環境に適応し、より良好な使用感を提供するため、ドラム式洗濯機は排水ポンプをアクティブ排水設備として使用している。従来のドラム式洗濯機の排水ポンプは、主に洗濯プログラム全体における洗濯完了後の排水、すすぎ完了後の排水、および脱水段階で動作する。しかし、社会の発展に伴い、水資源は次第に重要になっており、水資源の循環利用を実現することができるドラム式洗濯機が出現している。
【０００３】
この種のドラム式洗濯機は水資源の循環利用を実現する必要があるため、排水ポンプは従来のドラム式洗濯機の排水機能を有する必要があるだけでなく、排水を水処理システムに排出して、ドラム式洗濯機に戻す機能を有する必要もある。例えば２つの排水ポンプをそれぞれ取り付ける方式により実現すると、１つの排水ポンプは洗濯または脱水の排水を洗濯機から排出するように制御し、もう１つの排水ポンプは洗濯の排水を水の再利用システムに排出するように制御する。このように、２つの排水ポンプを同時に取り付ける必要があり、取付の複雑さが増すだけでなく、製造コストも一定程度上昇する。
【０００４】
水の再利用機能を有するドラム式洗濯機に適用される既存の排水ポンプについて、該排水ポンプは２つの排水ポンプを一体に集積している。しかし、既存のドラム式洗濯機において、排水ポンプの固定は、一般的に複数のネジで洗濯機の底板に直接固定するか、または固定するとき、ゴムリングを介して間接的に固定する。この種の方式の減衰効果は比較的劣り、排水ポンプの振動が洗濯機本体に伝達され、さらに外部に伝達されるのを良好に防止することができず、排水ポンプが動作するとき、比較的大きい振動および騒音が生じる。
【０００５】
中国発明特許第２０１４１０２４２３４９．６号明細書の排水ポンプの減衰パッドおよびその取付構造において、該発明はドラム式洗濯機の排水ポンプおよびその取付構造に関する。排水ポンプのポンプ体下部の両側に、それぞれ支持台およびＬ状支持脚が設けられる。支持台の下部に取付板が設けられ、取付板に少なくとも１つの固定孔が設けられる。洗濯機の底板に円柱状のボルト支柱が設けられ、ボルト支柱の一側の洗濯機底板に組立溝が設けられる。排水ポンプの支持台は、第１減衰パッドおよびボルト支柱を介して洗濯機底板と接続され、第２減衰パッドは排水ポンプのＬ状支持脚に嵌着され、組立溝中に嵌装される。本発明の構造は簡単でコンパクトであり、取付は便利で迅速に取り付けられる。排水ポンプは支持台およびＬ状支持脚を採用し、第１減衰パッドおよび第２減衰パッドを介して洗濯機底板に取り付けられる。排水ポンプの運転時の振動が伝達されるのを低下させ、洗濯機の振動および騒音を効果的に減少させ、ユーザの使用感を改善し、洗濯機の製品品質を高める。
【０００６】
しかし上記特許は取付が困難であり、必要な減衰パッドの数量が多くて、統一されておらず、組立が困難である。固定支持台の構造は比較的複雑であり、加工、製造が難しい。したがって、どのようにして排水ポンプの固定取付を実現し、その減衰を実現して比較的大きい騒音を防止するかは、解決が急がれる技術的問題となっている。
【先行技術文献】
【特許文献】
【０００７】
【特許文献１】中国特許第２０１４１０２４２３４９．６号明細書
【発明の概要】
【発明が解決しようとする課題】
【０００８】
上記問題を解決するため、本発明は洗濯機のダブルヘッド排水ポンプの取付減衰装置を提供する。具体的に以下の技術案を採用した。
【課題を解決するための手段】
【０００９】
洗濯機のダブルヘッド排水ポンプの取付減衰装置において、前記ダブルヘッド排水ポンプは、１つの取水口を共用する少なくとも２つの排水ポンプを含む。２つの排水ポンプは補強接続部品により一体に接続され、補強接続部品は洗濯機取付板に取り付けられる。前記補強接続部品と洗濯機取付板との間に、ダブルヘッド排水ポンプの振動を緩和する取付減衰装置が設けられる。
【００１０】
さらに、前記取付減衰装置は、弾性の軟質材料で製造した本体を含み、本体に洗濯機取付板と組み立てる第１減衰空洞と、補強接続部品と組み立てる第２減衰空洞とが設けられる。
【００１１】
さらに、前記本体は溝形構造であり、溝形構造の中部に溝を有し、溝は洗濯機取付板に挟装される。前記第１減衰空洞は、溝形構造の溝である。
【００１２】
さらに、前記溝部分に斜角が設けられ、溝の上壁および下壁に、複数の突起リブがそれぞれ対応して設けられる。
【００１３】
さらに、前記第１減衰空洞は、相互に接続する第１減衰部および第２減衰部に本体を分ける。前記第２減衰空洞は、第１減衰部および／または第２減衰部に設けられる。
【００１４】
さらに、前記第２減衰空洞は、第１減衰部および／または第２減衰部の内部に設けられる空洞である。該空洞に、第１減衰部および／または第２減衰部の一側に向かって開口が設けられ、該開口は第１減衰空洞の開口の方向と反対である。
【００１５】
さらに、前記本体に、補強接続部品の位置を制限し、固定する留め具が設けられ、留め具は第２減衰空洞の両側に対称に設けられる。
【００１６】
さらに、前記補強接続部品の下部は、洗濯機取付板に取り付ける支持取付部であり、支持取付部に洗濯機取付板において定位し、支持する支持取付脚が設けられる。支持取付脚に、取付減衰装置が設けられる。
【００１７】
さらに、前記補強接続部品は、２つの排水ポンプをそれぞれ取り付ける２つの取付部を含む。２つの取付部の下部部分がそれぞれ下に延伸して、第１支持取付部および第２支持取付部を形成し、前記取付減衰装置は、それぞれ第１支持取付部および第２支持取付部に取り付けられる。
【００１８】
さらに、前記第１支持取付部および第２支持取付部に、その垂直方向に沿って、少なくとも２つの支持取付脚が設けられ、前記支持取付脚はそれぞれ２つの第２減衰空洞中に取り付けられる。前記第１支持取付部および第２支持取付部は、２つの留め具の間に位置を制限して取り付けられる。
【００１９】
ダブルヘッド排水ポンプは構造が異なる２つの排水ポンプを含むため、２つの排水ポンプは１つの補強接続部品により一体に接続され、さらに補強接続部品により洗濯機取付板に固定して取り付けられる。ダブルヘッド排水ポンプは、動作過程において、２つの排水ポンプの応力が均等でないため、振動および騒音が容易に生じ、さらに容易に損傷する。したがって、本発明の取付減衰装置を補強接続部品と洗濯機取付板との間に設けて、ダブルヘッド排水ポンプの振動および騒音を効果的に緩和することができる。
【００２０】
本発明の取付減衰装置は、外観が溝形構造であり、溝形構造の上下端の長さは異なっていてよく、上が長く下が短くてよい。第１減衰空洞は溝形構造の溝であり、溝部分に斜角が設けられ、取付が便利である。溝形構造の上下端の後方内部に、２つの取付溝がそれぞれ設けられ、第２減衰空洞が取付溝である。取付溝の両側に留め具が設けられ、取付減衰装置が組立過程で脱落するか、または組立後の輸送過程で脱落するのを防止する。溝の上壁および下壁に棒状の突起リブがそれぞれ対応して設けられ、組み立てると、突起リブは洗濯機取付板と接触して、減衰作用を示し、共振を防止することができる。
【００２１】
本発明の取付減衰装置の溝形構造は、洗濯機取付板の取付孔部分から組み立てる。溝形構造の溝は洗濯機取付板の上下側を挟み、上下の減衰作用を示すことができ、位置制限機能も示すことができる。
【００２２】
原材料を節約するため、本発明は様々な肉厚に設定する。洗濯機取付板と接触する面の厚さは比較的厚く、減衰効果を増加させる。それ以外は比較的薄い。
【００２３】
本発明の取付減衰装置は、取付が容易である。良好な減衰効果を有し、位置制限作用を有し、洗濯機の騒音を減少させる。ユーザに良好な印象を与え、ユーザのブランドに対する認識を高める。
【図面の簡単な説明】
【００２４】
【図１】図１は、本発明のダブルヘッド排水ポンプの立体正面図である。
【図２】図２は、本発明のダブルヘッド排水ポンプの立体背面図である。
【図３】図３は、本発明のダブルヘッド排水ポンプにおける全体構造の背面図である。
【図４】図４は、本発明の図３におけるＡ−Ａ面の断面図である。
【図５】図５は、本発明のダブルヘッド排水ポンプおよびフィルタの分解概要図である。
【図６】図６は、本発明のフィルタの立体正面図である。
【図７】図７は、本発明のフィルタの立体背面図である。
【図８】図８は、本発明の第２逆止構造の立体概要図である。
【図９】図９は、本発明の図４の部分拡大図である。
【図１０】図１０は、本発明の補強接続部品の立体正面図である。
【図１１】図１１は、本発明の補強接続部品の立体背面図である。
【図１２】図１２は、本発明の取付減衰構造の立体正面図である。
【図１３】図１３は、本発明の取付減衰構造の立体背面図である。
【図１４】図１４は、本発明の取付減衰構造の正面図である。
【図１５】図１５は、本発明の図１４におけるＢ−Ｂ面の断面図である。
【発明を実施するための形態】
【００２５】
以下、図を組み合わせて、本発明における洗濯機のダブルヘッド排水ポンプの取付減衰装置について詳細に記載する。
図１、図４、図９、図１２、図１３、図１４および図１５に示すように、洗濯機のダブルヘッド排水ポンプの取付減衰装置において、前記ダブルヘッド排水ポンプは、１つの取水口８を共用する少なくとも２つの排水ポンプを含む。２つの排水ポンプは補強接続部品により一体に接続され、補強接続部品は洗濯機取付板１２に取り付けられる。前記補強接続部品と洗濯機取付板１２との間に、ダブルヘッド排水ポンプの振動を緩和する取付減衰装置１４が設けられる。
【００２６】
ダブルヘッド排水ポンプは構造が異なる２つの排水ポンプを含むため、２つの排水ポンプを１つの補強接続部品１１により一体に接続し、さらに補強接続部品１１により洗濯機取付板１２に固定して取り付ける。ダブルヘッド排水ポンプは、動作過程において、２つの排水ポンプの応力が均等でないため、振動および騒音が容易に生じ、さらに容易に損傷する。したがって、本発明の取付減衰装置１４を補強接続部品１１と洗濯機取付板１２との間に設けて、ダブルヘッド排水ポンプの振動および騒音を効果的に緩和することができる。
【００２７】
本発明の取付減衰装置１４は、補強接続部品１１と洗濯機取付板１２との間に設けられるため、取付減衰装置１４は補強接続部品１１と組み立てる必要も、洗濯機取付板１２と組み立てる必要もあり、取付減衰装置１４は補強接続部品１１および洗濯機取付板１２のいずれにも、減衰作用を有する。本発明の好ましい実施方式として、前記取付減衰装置は、弾性の軟質材料で製造される本体を含み、本体に洗濯機取付板１２と組み立てる第１減衰空洞１４０４と、補強接続部品と組み立てる第２減衰空洞とが設けられる。
【００２８】
本発明の好ましい実施方式として、図１２、図１３、図１４および図１５に示すように、前記本体は溝形構造である。溝形構造の中部に溝を有し、溝は洗濯機取付板１２に挟装される。前記第１減衰空洞１４０４は、溝形構造の溝である。
【００２９】
さらに、前記溝部分に斜角が設けられ、溝の上壁および下壁に、複数の突起リブ１４０７がそれぞれ対応して設けられる。本発明の溝部分は斜角が設けられ、取付が便利である。本発明の溝の上壁および下壁に、棒状の突起リブがそれぞれ対応して設けられ、組み立てると、突起リブは洗濯機取付板と接触して、減衰作用を示し、共振を防止することができる。
【００３０】
本発明の前記第１減衰空洞１４０４は、相互に接続する第１減衰部１４０１および第２減衰部１４０２に本体を分ける。前記第２減衰空洞は、第１減衰部１４０１および／または第２減衰部１４０２に設けられる。
【００３１】
さらに、前記第２減衰空洞は、第１減衰部１４０１および／または第２減衰部１４０２の内部に設けられる空洞である。該空洞に、第１減衰部１４０１および／または第２減衰部１４０２の一側に向かって開口が設けられ、該開口は第１減衰空洞１４０４の開口の方向と反対である。これは主に、本発明の取付減衰装置１４の一側を洗濯機取付板１２に取り付け、もう一側に補強接続部品１１を取り付けるためである。
【００３２】
具体的に、溝形構造の上端は第１減衰部１４０１であり、溝形構造の下端は第２減衰部１４０２である。溝形構造の上端および下端の後方内部に、２つの取付溝がそれぞれ設けられ、取付溝は第２減衰空洞である。
【００３３】
本発明の前記本体に、補強接続部品の位置を制限し、固定する留め具１４０３が設けられ、留め具１４０３は第２減衰空洞の両側に対称に設けられる。
【００３４】
本発明の取付減衰装置は、外観が溝形構造であり、溝形構造の上下端の長さは異なっていてよく、上が長く下が短くてよい。第１減衰空洞は溝形構造の溝であり、溝部分に斜角が設けられ、取付が便利である。溝形構造の上下端の後方内部に、２つの取付溝がそれぞれ設けられ、第２減衰空洞が取付溝である。取付溝の両側に留め具が設けられ、取付減衰装置が組立過程で脱落するか、または組立後の輸送過程で脱落するのを防止する。溝の上壁および下壁に棒状の突起リブがそれぞれ対応して設けられ、組み立てると、突起リブは洗濯機取付板と接触して、減衰作用を示し、共振を防止することができる。
【００３５】
本発明の取付減衰装置の溝形構造は、洗濯機取付板の取付孔部分から組み立てる。溝形構造の溝は洗濯機取付板の上下側を挟み、上下の減衰作用を示すことができ、位置制限機能も示すことができる。
【００３６】
原材料を節約するため、本発明は様々な肉厚に設定する。洗濯機取付板と接触する面の厚さは比較的厚く、減衰効果を増加させる。それ以外は比較的薄い。
【００３７】
本発明の好ましい実施方式として、前記補強接続部品の下部は、洗濯機取付板１２に取り付ける支持取付部であり、支持取付部に洗濯機取付板１２において定位し、支持する支持取付脚が設けられる。支持取付脚に、取付減衰装置が設けられる。
【００３８】
具体的に、前記補強接続部品は、２つの排水ポンプをそれぞれ取り付ける２つの取付部を含む。２つの取付部の下部部分がそれぞれ下に延伸して、第１支持取付部１１１０および第２支持取付部１１０８を形成する。前記取付減衰装置は、それぞれ第１支持取付部１１１０および第２支持取付部１１０８に取り付けられる。
【００３９】
さらに、前記第１支持取付部１１１０および第２支持取付部１１０８に、その垂直方向に沿って、少なくとも２つの支持取付脚１１０９が設けられる。前記支持取付脚１１０９はそれぞれ２つの第２減衰空洞中に取り付けられ、前記第１支持取付部１１１０および第２支持取付部１１０８は、２つの留め具１４０３の間に位置を制限して取り付けられる。
【００４０】
本発明の第１支持取付部１１１０および第２支持取付部１１０８に、それぞれ少なくとも２つの支持取付脚１１０９が設けられる。これと対応して、前記第２減衰空洞は第２減衰上空洞１４０５および第２減衰下空洞１４０６を含み、これにより支持取付脚１１０９との組立を実現する。
【００４１】
本発明の支持取付脚１１０９は、補強接続部品１１の具体的構造および洗濯機取付板１２に取り付ける取付方式に基づいて、本体に洗濯機取付板１２と組み立てる第１減衰空洞１４０４と、補強接続部品１１の支持取付脚１１０９と組み立てる第２空洞とがそれぞれ設けられる。これにより本発明の補強接続部品１１と洗濯機取付板１２との間は直接接触せず、支持取付脚１１０９を介して固定接続される。ダブルヘッド排水ポンプの動作過程における、補強接続部品１１と洗濯機取付板１２との間の振動および騒音を効果的に減少させることができ、ユーザはより良好なユーザエクスペリエンスが得られる。
【実施例】
【００４２】
実施例１
図１、図２、図３、図４および図５に示すように、本実施例は洗濯機のダブルヘッド排水ポンプであり、具体的に以下の技術案を採用した。
洗濯機のダブルヘッド排水ポンプは、取水口８が設けられたポンプケーシングを含み、前記ポンプケーシングに、少なくとも１つの第１出水口２および少なくとも１つの第２出水口６がそれぞれ設けられる。第１出水口２、第２出水口６に対応して、ポンプケーシングに第１排水モータ１、第２排水モータ１０がそれぞれ取り付けられ、第１排水モータ１は第１出水口２の開／閉を制御し、第２排水モータ１０は第２出水口６の開／閉を制御する。
【００４３】
本実施例の洗濯機のダブルヘッド排水ポンプは、ポンプケーシングに１つの取水口を共用する第１出水口２および第２出水口６が設けられ、第１出水口２は洗濯機の排水を実現し、第２出水口６は水の再利用における排水を実現する。したがって、本実施例のダブルヘッド排水ポンプは、水の再利用機能を有するドラム式洗濯機に適用することができる。構造全体の集積度は高く、構造は簡単で、取付が容易である。
【００４４】
本実施例の前記ポンプケーシングは、内部が相互に通じる第１ポンプケーシング４および第２ポンプケーシング９を少なくとも含む。前記取水口８、第１出水口２はそれぞれ第１ポンプケーシング４に設けられ、第２出水口６は第２ポンプケーシング９に設けられる。前記第１排水モータ１は第１ポンプケーシング４に取り付けられ、第２排水モータ１０は第２ポンプケーシング９に取り付けられる。
【００４５】
本実施例のポンプケーシングの内部は通じるが、一体化設計ではなく、内部が相互に通じる第１ポンプケーシング４および第２ポンプケーシング９の２つの部分を含む。このように、実際の排水需要に基づいて、それぞれ第１ポンプケーシング４および第２ポンプケーシング９を設計する。具体的に、前記第１ポンプケーシング４、第２ポンプケーシング９が、主に第１出水口２、第２出水口６の排水揚程により決定される場合、一般的に、排水口の排水揚程が高いほど、設置するポンプケーシングの体積も大きくなる。
【００４６】
しかし、実際の過程において、第２出水口６は水の再利用システムに接続されるため、水の再利用システムは洗濯水に対してろ過過程を行う必要がある。充分なろ過を確実に保証して良好なろ過効果を達成するため、本実施例の第２出水口６の排水揚程は第１出水口２より低くなければならない。したがって、本実施例の第２ポンプケーシング９の体積は第１ポンプケーシング４の体積より小さくなければならない。他に、第２ポンプケーシング９の体積を第１ポンプケーシング４の体積より小さく設計すると、本実施例のダブルヘッド排水ポンプの構造全体の体積を小さくすることができ、ある方向の長さが過度に長くなるのを防止し、取付がより便利である。
【００４７】
したがって、本実施例のダブルヘッド排水ポンプは、水の再利用および排水作用を実現することができ、後方の三方バルブなど複雑な構造および部材を代替することができる。
【００４８】
本実施例の第２ポンプケーシング９の体積は、第１ポンプケーシング４の体積より小さく設計されるため、本実施例の取水口８は第１ポンプケーシング４に設けるべきであり、このようにして、可能な限り取水口８の取水量を増やすことができる。これにより第１出水口２および第２出水口６が順調に出水することができることを保証し、第２ポンプケーシング９の体積が取水口８の取水量を制限することにより、排水口の排水が断続的になるのを防止した。
【００４９】
具体的に、本実施例の前記第１ポンプケーシング４に、取水口８と通じる第３出水口がさらに設けられ、前記第２ポンプケーシング９は第３出水口と接続される。これにより、第１ポンプケーシング４および第２ポンプケーシング９の内部が相互に通じることを実現する。
【００５０】
本実施例の前記第１ポンプケーシング４は、第１ポンプケーシング本体４０１、取水管４０２、第１出水管４０３および第３出水管４０４を含み、第１ポンプケーシング本体４０１内部に中空の導管を有する。取水管４０２、第１出水管４０３および第３出水管４０４は、それぞれ第１ポンプケーシング本体４０１の中空の導管と通じる。前記取水口８、第１出水口２、第３出水口は、それぞれ取水管４０２、第１出水管４０３、第３出水管４０４の端部に設けられる。
【００５１】
本実施例のドラム式洗濯機の排水は、取水管４０２を介して第１ポンプケーシング４のポンプケーシング本体４０１内部における中空の導管に進入し、さらにはそれぞれ中空の導管と通じる第１出水管４０３および第３出水管４０４に進入する。第３出水管４０４中の排水は第２ポンプケーシング９につながり、これにより排水をそれぞれ２つのポンプケーシング中に通すことを実現した。第１ポンプケーシング４中の排水の排出は、第１排水モータ１および第２排水モータ１０のそれぞれに制御され、第２ポンプケーシング９中の排水は、第２排水モータ１０のみに制御される。
【００５２】
本実施例の好ましい実施方式として、前記取水管４０２、第１出水管４０３および第３出水管４０４は、それぞれ第１ポンプケーシング本体４０１の側壁と通じる。第３出水管４０４は取水管４０２と同一平面に設けられ、第３出水管４０４は第１出水管４０３と異なる面に設けられる。このように、第２ポンプケーシング９を第１ポンプケーシング４の一側に設置して、両者を並列に設置し、本実施例のダブルヘッド排水ポンプにおける軸方向全体の長さを短くした。
【００５３】
さらに好ましくは、前記第３出水管４０４および取水管４０２は、第１ポンプケーシング本体４０１の同一側に設けられる。これにより、第２ポンプケーシング９および取水管４０２は第１ポンプケーシング４の同一側に設置され、取付における横方向の幅が短くなり、取付がより便利である。
【００５４】
排水をスムーズにし、残留した汚れが順調にポンプケーシングに流れるようにして、手動での洗浄を便利にするため、本発明の好ましい実施方式として、前記取水管４０２の取水口（８）部分は上に５°〜１５°傾斜して設けられる。
【００５５】
どのようにして第２ポンプケーシング９と第１ポンプケーシング４との間の連通を実現するかは、本実施例が解決する必要がある重要な技術的問題である。具体的に、以下の２つの技術案を採用することができる。
案１：本実施例の第３出水管４０４はＬ状の管路であり、第３出水管４０４の一端は第１ポンプケーシング４の側壁に一体で通じ、もう一端は第２ポンプケーシング９の内部に一体で通じる。このように、第１ポンプケーシング４および第２ポンプケーシング９は一体成型により製造され、工業的一体化の程度がより高く、組立はより簡単で便利である。
【００５６】
案２：本実施例の前記第２ポンプケーシング９に、第２出水口６と通じる第２ポンプケーシング取水口９０１が設けられ、第２ポンプケーシング取水口９０１は第１ポンプケーシング４の第３出水口と接続される。具体的に、前記第２ポンプケーシング取水口９０１は、接続部品１５を介して第１ポンプケーシング４の第３出水口と通じ、好ましくは、前記接続部品はホースである。このように、第１ポンプケーシング４および第２ポンプケーシング９をそれぞれ加工してから組み立てると、加工はより簡単である。ホースを採用した接続はより容易に実現され、加工に対する精度の要求を低下させた。
【００５７】
まとめると、前記第１ポンプケーシング４および第２ポンプケーシング９は分離して設置され、第２ポンプケーシング９は接続部品１５を介して第１ポンプケーシング４と通じる。または、前記第１ポンプケーシング４および第２ポンプケーシング９は一体成型される。
【００５８】
本実施例の好ましい実施方式として、本実施例の第１ポンプケーシング４の全体は、内部に中空の導管を有する柱状構造である。具体的に円柱状構造でよく、柱状構造の一端の端部に第１排水モータ１が取り付けられる。前記第１出水口２の出水方向は垂直に上を向き、すなわち第１出水口２の軸が柱状構造の軸に垂直になるように設けられる。柱状構造のもう一端の端部は皿状の第１ポンプケーシング取付部５であり、第１ポンプケーシング取付部５にネジ止め孔が設けられ、前記第１ポンプケーシング４はドラム式洗濯機の前面パネルの内壁にネジ止めされる。前記第３出水管４０４および取水管４０２は、いずれも柱状構造の側壁に通じ、同一側に位置する。
【００５９】
本実施例の好ましい実施方式として、前記第２出水口６の排水揚程は、第１出水口２の排水揚程より低い。具体的に、前記第２出水口６の排水揚程は０．２ｍ〜０．８ｍであり、再利用水を水の再利用システムで効果的にろ過処理を行うのにより適している。
【００６０】
本実施例の好ましい実施方式として、前記第１出水口２、第２出水口６にそれぞれ第１逆止構造３、第２逆止構造７が設けられる。第２逆止構造７は軟質材料で一体成型され、円環状を呈する取付部７０３と、円盤状を呈する逆止部７０１とを含む。取付部７０３は第２出水口６の管壁に嵌着され、逆止部７０１は第２出水口６を覆う。
【００６１】
本実施例のダブルドラム排水ポンプにおける、２つの出水口部分のいずれにも逆止構造が設けられ、水の逆流を防止することができ、２次汚染を防止する。
【００６２】
第２出水口６の排水揚程は比較的低いため、第２排水口６の内径も比較的小さい。本実施例は第２出水口６のこの構造的特徴に基づいて、構造が簡単な第２逆止構造７を設計した。図８に示すように、第２逆止構造７は軟質材料で一体成型され、取付部７０３と、逆止部７０１と、両者を一体に接続する接続柱７０２とを含む。前記取付部７０３は第２出水口６の管壁に嵌着され、自然な状態で、逆止部７０１は第２出水口６を覆う。水流が第２出水口６から流出するとき、逆止部７０１は水流の作用で開かれ、反対方向の水流は、逆止部７０１を緊密に第２出水口６に被せる。これにより第２出水口６が単方向にしか排出することができず、第２ポンプケーシング９内に反対方向に逆流しないことを実現し、逆止作用を実現する。したがって、本実施例の第２逆止構造７はより簡単な構造であり、取付はより便利であり、逆止効果は明らかである。
【００６３】
実施例２
図１、図２、図３、図４、図９、図１０および図１１に示すように、本実施例は、洗濯機のダブルヘッド排水ポンプに適用される補強接続部品である。前記ダブルヘッド排水ポンプは、１つの取水口８を共用する少なくとも２つの排水ポンプを含む。前記ダブルヘッド排水ポンプの２つの排水ポンプは、補強接続部品１１により一体に接続され、補強接続部品１１は洗濯機取付板１２に固定して取り付けられる。
【００６４】
ダブルヘッド排水ポンプの２つの排水ポンプの構造は異なるため、ダブルヘッド排水ポンプの応力は均等ではなく、容易に振動が生じる。２つの排水ポンプの接続が充分に堅固でない場合、振動過程で容易に損傷する。したがって、本実施例の補強接続部品１１は、ダブルヘッド排水ポンプの構造的特徴に基づいて、２つの排水ポンプを堅固に固定接続することができる。さらに、補強接続部品１１で洗濯機取付板１２に固定して取り付けることにより、その取付の安定性を確実に保証する。
【００６５】
本実施例の補強接続部品１１は、ダブルヘッド排水ポンプの２つの排水ポンプを一体に接続するため、本実施例の前記補強接続部品１１は、２つの排水ポンプをそれぞれ取り付ける２つの取付部を含む。前記２つの取付部は、ダブルヘッド排水ポンプの軸方向で前後に交差して設けられ、これにより２つの排水ポンプは軸方向で前後に交差して設置される。
【００６６】
本実施例の補強接続部品１１は２つの取付部を含み、２つの取付部はポンプケーシングの軸方向で前後にずれており、これにより軸方向の空間を径方向の空間に変えることを実現する。具体的に、ポンプケーシングに排水モータと接続するポンプケーシング接続部が設けられ、ポンプケーシング接続部の径方向の寸法は、一般的に比較的大きく、これにより排水モータの取付安定性を確実に保証する。２つのポンプケーシング接続部は同時に補強接続部品１１により一体に接続され、洗濯機取付板１２に取り付けられる。２つのポンプケーシング接続部が径方向の同一端面にある場合、両者の径方向における取付距離を増加させる必要がある。補強接続部品１１の２つの取付部は、ポンプ体の軸方向で前後にずれて設けられ、これにより２つのポンプケーシング接続部は軸方向で前後にずれて取り付けられる。２つのポンプケーシング接続部の隣接する部分は、軸方向に重ねることができ、径方向の同一端面における取付距離を節約する。
【００６７】
図９、図１０および図１１に示すように、前記補強接続部品は第１接続部１１０２、第２接続部１１０４および接続部１１０５を含む。第１接続部１１０２および第２接続部１１０４は、ダブルヘッド排水ポンプの軸方向で前後に交差して設けられ、接続部１１０５は第１接続部１１０２と第２接続部１１０４との間に設けられ、両者を一体に接続する。
【００６８】
本実施例の第１接続部１１０２はダブルヘッド排水ポンプの１つの排水ポンプと連結し、第２接続部１１０４はもう１つの排水ポンプと連結する。両者は前後に交差して設けられ、さらに接続部１１０５により一体に接続される。このように、ダブルヘッド排水ポンプの２つの排水ポンプは、補強接続部品１１により一体に接続され、前後に交差して設置されることを実現し、径方向における取付空間を節約した。
【００６９】
本実施例の第１接続部１１０２に、ダブルヘッド排水ポンプと接続される第１取付孔１１０１が設けられ、第２接続部１１０４に、ダブルヘッド排水ポンプと接続される第２取付孔１１０３が設けられる。ボルトまたはネジで固定して取り付けることができ、取付方式はより簡単で便利である。
【００７０】
本実施例の補強接続部品１１を洗濯機取付板１２に固定して取り付けることにより、ダブルヘッド排水ポンプを洗濯機取付板１２に固定して取り付けることを実現する。具体的に、前記第１接続部１１０２および第２接続部１１０４の下部部分がそれぞれ下に延伸して、洗濯機取付板１２に取り付ける第１支持取付部１１１０および第２支持取付部１１０８を形成する。
【００７１】
本実施例の補強接続部品１１は、対応する接続部の下部に、洗濯機取付板１２と接続する支持取付部が設けられる。これにより、補強接続部品１１は複数点の支持作用を受け、さらにはダブルヘッド排水ポンプの取付安定性を確実に保証した。
【００７２】
具体的に、本実施例の補強接続部品１１を洗濯機取付板１２に固定して取り付けるため、前記第１支持取付部１１１０および第２支持取付部１１０８に、その垂直方向に沿って、少なくとも２つの支持取付脚１１０９を設ける。２つの支持取付脚１１０９の間に、洗濯機取付板１２に挟装される取付挟装位置１１０６が形成される。
【００７３】
本実施例は、２つの支持取付脚１１０９の間に形成される取付挟装位置１１０６を、洗濯機取付板１２に挟装する方式を採用して、補強接続部品１１の固定取付を実現する。これと対応して、洗濯機取付板１２に取付孔が設けられ、第１支持取付部１１１０および第２支持取付部１１０８は、それぞれ対応する取付孔内に深く入り、２つの支持取付脚１１０９は洗濯機取付板１２に挟装される。したがって、本実施例の補強取付部品１１の取付方式はより簡単で便利である。他に、２つの支持取付脚１１０９に減振パッドを嵌着することができ、これによりダブルヘッド排水ポンプの減衰作用を実現し、使用過程の騒音を低下させる。
【００７４】
補強接続部品１１のダブルヘッド排水ポンプに対する支持作用をさらに増大させるため、本実施例の補強接続部品１１の第１接続部１１０２および支持部１１０７は、その垂直方向に沿って延伸し、２つの支持リブ１１１１をそれぞれ形成し、前記支持リブ１１１１はいずれも洗濯機取付板１２の上表面で支持する。支持リブ１１１１の支持作用により、その支持安定性をさらに増強させることができる。
【００７５】
さらに、前記支持リブ１１１１は支持取付脚１１０９に平行に設けられる。支持リブ１１１１および支持取付脚１１０９は補強接続部品１１の同一側に設けられるか、または両側にそれぞれ設けられる。好ましくは、支持リブ１１１１および支持取付脚１１０９は補強接続部品１１の両側にそれぞれ設けられる。このように、補強接続部品の両側のいずれにも、効果的な支持作用を持たせることができる。
【００７６】
ポンプケーシングの径方向の長さをさらに短くするため、前記２つの排水モータの取付方向は垂直である。したがって、本実施例の補強接続部品１１の第１接続部１１０２は横方向に設けられ、第２接続部品１１０４は縦方向に設けられる。前記第２接続部１１０４の一側は、部分的に横方向に延伸して支持部１１０７を形成し、支持部１１０７は第１接続部１１０２と反対方向に設けられる。本実施例の第２接続部１１０４は縦方向に設けられるため、ダブルヘッド排水ポンプを接続すると、該部分の支持が不十分であるか、または不良である。したがって、本実施例の第２接続部１１０４の一側は、部分的に横方向に延伸して支持部１１０７を形成する。支持部１１０７はさらにダブルヘッド排水ポンプを支持することができ、全体の取付安定性を確実に保証する。
【００７７】
本実施例の前記補強接続部品１１は一体プレス成形した板金部材であり、これにより補強接続部品１１の一体性はより高く、接続の安定効果はより良好である。
【００７８】
具体的に、本実施例の前記ダブルヘッド排水ポンプの２つの排水ポンプは、それぞれ第１ポンプケーシング４および第２ポンプケーシング９を含む。第１ポンプケーシング４および第２ポンプケーシング９の内部は相互に通じ、前記取水口８は第１ポンプケーシング４に設けられる。前記補強接続部品は、第１ポンプケーシング４および第２ポンプケーシング９をそれぞれ取り付ける２つの取付部を含む。
【００７９】
さらに、前記第１ポンプケーシング４および第２ポンプケーシング９は並列に設置される。第１ポンプケーシング４および第２ポンプケーシング９の一端の端部に、それぞれ第１ポンプケーシング取付部および第２ポンプケーシング取付部が設けられ、前記第１ポンプケーシング取付部および第２ポンプケーシング取付部に、それぞれ第１排水モータおよび第２排水モータ１０が取り付けられる。前記補強接続部品の２つの取付部に、第１ポンプケーシング取付部１および第２ポンプケーシング取付部がそれぞれ接続され、これにより第１ポンプケーシング取付部および第２ポンプケーシング取付部は、軸方向に交差して設置される。
【００８０】
本実施例の補強接続部品１１および第１排水モータ１、第２排水モータ１０は、いずれもポンプケーシング取付部に接続される。したがって、補強接続部品および排水モータは１つの取付孔を共用することができ、さらに単独で孔を設ける必要はなく、取付がより簡単である。
【００８１】
本実施例の前記ダブルヘッド排水ポンプはポンプケーシングを含み、ポンプケーシングに取水口８、少なくとも１つの第１出水口２および少なくとも１つの第２出水口６が設けられる。第１出水口２に対応して、その開／閉を制御する第１排水モータ１がポンプケーシングに取り付けられ、第２出水口６に対応して、その開／閉を制御する第２排水モータ１０がポンプケーシングに取り付けられる。前記補強接続部品は、第１排水モータ１および第２排水モータ１０を一体に接続する。
【００８２】
実施例３
図１、図３、図４、図５、図６および図７に示すように、本実施例は洗濯機のダブルヘッド排水ポンプに適用されるフィルタである。前記ダブルヘッド排水ポンプはポンプケーシングを含み、ポンプケーシングに取水口と、取水口を共用する少なくとも２つの出水口とが設けられる。２つの出水口は、それぞれ２つの排水モータによりその開／閉が制御される。前記ポンプケーシング内部の２つの出水口と取水口との間に、フィルタ１３が設けられる。前記フィルタ１３は、２つの出水口にそれぞれ対応する少なくとも２つの出水部を含み、少なくとも１つの出水部にろ過部が設けられる。
【００８３】
本実施例のフィルタ１３はダブルヘッド排水ポンプのポンプケーシング内部に設けられ、２つの出水口と取水口との間に位置する。これにより洗濯機の排水はろ過された後、それぞれ２つの出水口から排出される。本実施例のフィルタ１３は排水中の糸屑および異物をろ過することができ、出水口が詰まるのを防止する。
【００８４】
他に、本実施例の２つの出水口の排水作用は異なるため、具体的な設計に基づいて、２つの出水部のうちの１つのみにろ過部を設ける必要がある。ろ過の要求を満たすことを基に、フィルタの構造を簡略化し、製造コストを低下させた。
【００８５】
本実施例の前記フィルタは枠状本体１３０５を含み、枠状本体１３０５の両側の枠の間にそれぞれ取水部１３０１、第２出水部１３０２が設けられる。枠状本体１３０５のポンプケーシング内部に位置する一端の端部に、第１出水部１３０３が設けられる。
【００８６】
本実施例の第１出水部１３０３の排水は洗濯機から直接排出されるため、排水を高い程度でろ過する必要はなく、排水中の糸屑および異物をろ過すればよい。さらに過度のろ過は第１出水部１３０３の排水速度に影響を与えるため、本実施例の第１出水部１３０３は取水部１３０１と直接通じる。
【００８７】
さらに、本実施例の第１出水部１３０３に十字形のリブが設けられる。排水中の糸屑および異物をろ過し、第１出水部１３０３と対応する出水口が詰まるのを防止する。
【００８８】
本実施例の好ましい実施方式として、前記枠状本体１３０５のポンプケーシング内部に位置する一端の端部は密閉台座１３１０である。密閉台座１３１０は円盤状を呈して設けられ、ポンプケーシングの内壁と接触する。前記第１出水部１３０３は、密閉台座１３１０に設けられる突起状の出水口である。
【００８９】
本実施例の第２出水部１３０２に対応する出水口の排水は、洗濯機の水再利用システムに通じる。水再利用システムにより排水をろ過、浄化した後、再び利用するため、第２出水部１３０２から排出される水のろ過の程度に対する要求は比較的高い。第２出水部１３０２にろ過の程度が比較的高いろ過部を設ける必要があり、これにより糸屑または異物を最大限にろ過する。
【００９０】
本実施例の好ましい実施方式として、本実施例の第２出水部１３０２とポンプケーシングとの間は密閉接触し、前記第２出水部１３０２にろ過部が設けられる。
【００９１】
図６および図７に示すように、具体的に、前記第２出水部１３０２は底壁１３０８と、底壁１３０８にそれぞれ接続する第１側壁１３０６、第２側壁１３０７とを含み、底壁１３０８は枠状本体１３０５の両側の枠と接続される。前記底壁１３０８、第１側壁１３０６、第２側壁１３０７とポンプケーシングの内壁との間に出水空洞が形成され、出水空洞は１つの出水口および取水口とそれぞれ通じる。
【００９２】
さらに、前記底壁１３０８に複数の取水孔１３０９を設けて、ろ過部を形成する。前記第１側壁１３０６、第２側壁１３０７は、それぞれ底壁１３０８側のポンプケーシング内壁との間で密封接触し、これにより水流はろ過部から出水空洞に進入することしかできない。
【００９３】
本実施例の取水孔１３０９の孔径は比較的小さく、これにより排水を最大限にろ過する。さらに、設けられる取水孔１３０９の数量は比較的多く、これにより第２出水部１３０２に対応する排水口に達する排水揚程を確実に保証する。
【００９４】
さらに、前記底壁１３０８の一側は、第１出水部１３０３が位置する端部に向かって延伸してこれと接続し、前記第１側壁１３０６は底壁１３０８の該側に沿って設けられ、これと接続する。
【００９５】
このように、一方では底壁１３０８の面積を増大することができると同時に、第２出水部１３０２のろ過面を増大し、その取水量を増大する。もう一方では底壁１３０８は枠状本体１３０５と三面で接続し、より堅固である。
【００９６】
本実施例の第１出水部１３０３、第２出水部１３０２は２つの出水口と対応しなければならず、そうでなければ第２出水部１３０２から排出される水は、ろ過効果を実現することができない。したがって、本実施例の好ましい実施方式として、本実施例の前記枠状本体１３０５の少なくとも１側の枠に、ストッパ１３０６が設けられ、ポンプケーシングの内壁にストッパスライド溝が設けられる。前記ストッパ１３０６はストッパスライド溝に沿ってポンプケーシング内部に入り、フィルタの２つの出水部が、それぞれダブルヘッド排水ポンプの２つの出水口に対応するように取り付けられる。
【００９７】
さらに、既存のフィルタはネジ止めの方式により、ポンプケーシング内部に組み入れるため、フィルタ１３のストッパ１３０６がポンプケーシングのスライド溝内に制限されると、フィルタ１３は回転することができず、ネジ止めすることができない。本実施例のフィルタ１３をポンプ体内部に組み入れるため、そのネジ止めの方式は変更しない。本実施例の好ましい実施方式として、本実施例の前記枠状本体１３０５のもう１つの端部は、自由に回転することができるフィルタ取付部１３０４に接続され、フィルタ取付部１３０４はポンプケーシングに固定して取り付けられる。前記第２出水部１３０２とフィルタ取付部１３０４との間に、取水部１３０１が形成される。
【００９８】
具体的に、枠状本体１３０５のもう１つの端部にネック部が設けられる。前記フィルタ取付部１３０４はネック部内に挟装され、自由に回転することができる。
【００９９】
本実施例の好ましい実施方式として、前記ポンプケーシングは内部が相互に通じる第１ポンプケーシング４および第２ポンプケーシング９を少なくとも含む。前記取水口８、第１出水口２はそれぞれ第１ポンプケーシング４に設けられ、第２出水口６は第２ポンプケーシング９に設けられる。前記フィルタは、第１ポンプケーシング４の内部空洞に取り付けられる。フィルタの１つの出水部は第１出水口２に対応して設けられ、もう１つは第１ポンプケーシング４および第２ポンプケーシング９の接続部分に対応して設けられる。
【０１００】
具体的に、前記第１ポンプケーシング４に、取水口８と通じる第３出水口がさらに設けられ、前記第２ポンプケーシング９は第３出水口と接続される。前記第１出水部１３０３は第１出水口２に対応して設けられ、第２出水部１３０２は第３出水口に対応して設けられる。
【０１０１】
以上の記載は本発明の好ましい実施例に過ぎず、本発明をいずれの形式でも制限しない。本発明は好ましい実施例により上記のように開示したが、本発明を限定するものではない。当業者は本発明の技術案を逸脱しない範囲内で、上記に示した技術内容を利用して、同等に変更した等価実施例に修正または修飾することができるが、いずれも本発明の技術案の内容を逸脱しない。本発明の技術的本質に基づいて、以上の実施例に対して行う簡単な修正、同等の変更および修飾は、いずれも本発明案の範囲内に属する。
【符号の説明】
【０１０２】
１  第１排水モータ
２  第１出水口
３  第１逆止構造
４  第１ポンプケーシング
５  第１ポンプケーシング取付部
６  第２出水口
７  第２逆止構造
８  取水口
９  第２ポンプケーシング
１０  第２排水モータ
１１  補強接続部品
１２  洗濯機取付板
１３  フィルタ
１４  取付減衰構造
１５  接続部品
４０１  第１ポンプケーシング本体
４０２  取水管
４０３  第１出水管
４０４  第３出水管
７０１  逆止部
７０２  接続柱
７０３  取付部
９０１  第２ポンプケーシング取水口
９０２  第２出水管
１１０１  第１取付孔
１１０２  第１接続部
１１０３  第２取付孔
１１０４  第２接続部
１１０５  接続部
１１０６  取付挟装位置
１１０７  支持部
１１０８  第２支持取付部
１１０９  支持取付脚
１１１０  第１支持取付部
１１１１  支持リブ
１３０１  取水部
１３０２  第２出水部
１３０３  第１出水部
１３０４  フィルタ取付部
１３０５  枠状本体
１３０６  第１側壁
１３０７  第２側壁
１３０８  底壁
１３０９  取水孔
１３１０  密閉台座
１４０１  第１減衰部
１４０２  第２減衰部
１４０３  留め具
１４０４  第１減衰空洞
１４０５  第２減衰上空洞
１４０６  第２減衰下空洞
１４０７  突起リブ
【図１】
0006573083.tif 000002
【図２】
0006573083.tif 000003
【図３】
0006573083.tif 000004
【図４】
0006573083.tif 000005
【図５】
0006573083.tif 000006
【図６】
0006573083.tif 000007
【図７】
0006573083.tif 000008
【図８】
0006573083.tif 000009
【図９】
0006573083.tif 000010
【図１０】
0006573083.tif 000011
【図１１】
0006573083.tif 000012
【図１２】
0006573083.tif 000013
【図１３】
0006573083.tif 000014
【図１４】
0006573083.tif 000015
【図１５】
0006573083.tif 000016